(57)【要約】【課題】複数台の表示装置を連結した画面に、情報端末からの指示にしたがって、情報端末から提供されたコンテンツデータを表示することができる技術を提供することを目的とする。【解決手段】複数の表示装置と、前記表示装置と通信可能な情報端末と、を含む表示システムにおいて、前記情報端末は、前記複数の表示装置を連結した画面に表示するコンテンツデータを、前記複数の表示装置に応じて分割した分割コンテンツデータの再生を制御する再生制御情報を生成する生成部と、前記再生制御情報及び前記分割コンテンツデータを前記表示装置に送信する送信部と、を有し、前記表示装置は、前記再生制御情報にしたがって前記分割コンテンツデータを再生することで上記課題を解決する。【選択図】図４
2016225823.tif 000002
【特許請求の範囲】
【請求項１】
複数の表示装置と、前記表示装置と通信可能な情報端末と、を含む表示システムであって、
前記情報端末は、
前記複数の表示装置を連結した画面に表示するコンテンツデータを、前記複数の表示装置に応じて分割した分割コンテンツデータの再生を制御する再生制御情報を生成する生成部と、
前記再生制御情報及び前記分割コンテンツデータを前記表示装置に送信する送信部と、を有し、
前記表示装置は、
前記再生制御情報にしたがって前記分割コンテンツデータを再生することを特徴とする表示システム。
【請求項２】
前記情報端末は、
複数のコンテンツデータを連続して選択可能な受付部と、
複数のコンテンツデータの中から第１のコンテンツデータが選択されたタイミングで、前記第１のコンテンツデータを分割し、前記分割コンテンツデータを生成する処理部と、をさらに有することを特徴とする請求項１記載の表示システム。
【請求項３】
前記処理部は、前記第１のコンテンツデータを選択されたとき、前記第１のコンテンツデータの解像度を、前記複数の表示装置を連結した画面の解像度に応じて変換し、変換した前記第１のコンテンツデータを分割することを特徴とする請求項２記載の表示システム。
【請求項４】
前記処理部は、前記第１のコンテンツデータを選択されたタイミングで、前記分割コンテンツデータを生成し、前記分割コンテンツデータを送信することを特徴とする請求項２または３記載の表示システム。
【請求項５】
前記送信部は、第１のコンテンツデータに基づく第１の表示装置へ表示させる第１の分割コンテンツデータの送信を完了した際に、前記処理部により、第２のコンテンツデータに基づく前記第１の表示装置に表示させる第２の分割コンテンツデータが生成されている場合は、前記第１の分割コンテンツデータに続けて前記第２の分割コンテンツデータを送信することを特徴とする請求項２乃至４のいずれか一項に記載の表示システム。
【請求項６】
前記再生制御情報は、各表示装置おいて当該分割コンテンツデータを表示する時間の長さを示す表示時間を含むことを特徴とする請求項１乃至５のいずれか一項に記載の表示システム。
【請求項７】
前記生成部は、複数の表示装置を連結した画面における、各表示装置の画面の位置に応じて、異なる前記表示時間を各表示装置の前記再生制御情報に設定することを特徴とする請求項６記載の表示システム。
【請求項８】
前記送信部は、
各表示装置に、対応する前記再生制御情報及び前記分割コンテンツデータを送信することを特徴とする請求項１乃至７のいずれか一項に記載の表示システム。
【請求項９】
前記送信部は、
第１の表示装置に、各表示装置の前記再生制御情報及び前記分割コンテンツデータを送信し、
前記第１の表示装置は、他の表示装置に、各表示装置の前記再生制御情報及び前記分割コンテンツデータを転送することを特徴とする請求項１乃至７のいずれか一項に記載の表示システム。
【請求項１０】
複数の表示装置を連結した画面に表示するコンテンツデータを、前記複数の表示装置に応じて分割した分割コンテンツデータの再生を制御する再生制御情報を生成する生成部と、
前記再生制御情報及び前記分割コンテンツデータを前記表示装置に送信する送信部と、を有する情報端末。
【請求項１１】
表示装置と通信可能な情報端末において実行される再生制御プログラムであって、
前記情報端末を、
複数の表示装置を連結した画面に表示するコンテンツデータを、前記複数の表示装置に応じて分割した分割コンテンツデータの再生を制御する再生制御情報を生成する生成部、
前記再生制御情報及び前記分割コンテンツデータを前記表示装置に送信する送信部、として機能させるための再生制御プログラム。
【請求項１２】
複数の表示装置と、プログラムと、を含む表示システムであって、
前記プログラムは、前記表示装置と通信可能な情報端末を、
複数の表示装置を連結した画面に表示するコンテンツデータを、前記複数の表示装置に応じて分割した分割コンテンツデータの再生を制御する再生制御情報を生成する生成部、
前記再生制御情報及び前記分割コンテンツデータを前記表示装置に送信する送信部、として機能させ、
前記表示装置は、
前記再生制御情報にしたがって前記分割コンテンツデータを再生することを特徴とする表示システム。
【請求項１３】
複数の表示装置と、前記表示装置と通信可能な情報端末と、を含む表示システムにおける再生制御方法であって、
前記情報端末が、
複数の表示装置を連結した画面に表示するコンテンツデータを、前記複数の表示装置に応じて分割した分割コンテンツデータの再生を制御する再生制御情報を生成するステップと、
前記再生制御情報及び前記分割コンテンツデータを前記表示装置に送信するステップと、
前記表示装置が、
前記再生制御情報にしたがって前記分割コンテンツデータを再生するステップと、を有することを特徴とする表示システム。
【請求項１４】
複数の表示装置を連結した画面に表示するコンテンツデータを、前記複数の表示装置に応じて分割した分割コンテンツデータと、各表示装置にて前記分割コンテンツデータの再生を制御する再生制御情報を受信して保存する保存制御部と、
他の表示装置に、各表示装置の前記再生制御情報及び前記分割コンテンツデータを通知する通知部と、
自装置の前記再生制御情報にしたがって自装置の前記分割コンテンツデータを再生する表示制御部と、を有することを特徴とする表示装置。
【発明の詳細な説明】
【技術分野】
【０００１】
本発明は、表示システム、情報端末、表示装置、再生制御プログラム及び再生制御方法に関する。
【背景技術】
【０００２】
従来から、情報端末から表示装置にコンテンツデータを提供し、表示装置にてコンテンツデータを表示させるシステムが知られている。この従来のシステムでは、情報端末においてコンテンツデータを表示装置の解像度に合わせて縮小した後、表示装置へ送信することにより、コンテンツデータの送信処理時間を短縮する技術が知られている（特許文献１参照）。
【発明の概要】
【発明が解決しようとする課題】
【０００３】
しかしながら上記従来の技術では、複数台の表示装置の画面を連結した画面に、情報端末から提供されたコンテンツデータを表示する場合の課題については考慮されていない。
【０００４】
そこで、複数台の表示装置を連結した画面に、情報端末からの指示にしたがって、情報端末から提供されたコンテンツデータを表示することができる技術を提供することを目的とする。
【課題を解決するための手段】
【０００５】
複数の表示装置と、前記表示装置と通信可能な情報端末と、を含む表示システムにおいて、前記情報端末は、前記複数の表示装置を連結した画面に表示するコンテンツデータを、前記複数の表示装置に応じて分割した分割コンテンツデータの再生を制御する再生制御情報を生成する生成部と、前記再生制御情報及び前記分割コンテンツデータを前記表示装置に送信する送信部と、を有し、前記表示装置は、前記再生制御情報にしたがって前記分割コンテンツデータを再生する。
【発明の効果】
【０００６】
開示の技術によれば、複数台の表示装置を連結した画面に、情報端末からの指示にしたがって、情報端末から提供されたコンテンツデータを表示することが可能となる。
【図面の簡単な説明】
【０００７】
【図１】実施形態に係る表示システムのシステム構成の一例を示す図である。
【図２】実施形態に係る表示システムの利用シーンの一例を説明する図である。
【図３】表示システムが有する各装置のハードウェア構成の一例を示す図である。
【図４】第１の実施形態の表示システムが有する各装置の機能構成の一例を示す図である。
【図５】各表示装置の画面情報を説明する図である。
【図６】各表示装置を連結した画面を説明する図である。
【図７】コンテンツデータの変換処理を説明する図である。
【図８】設定情報に含まれる項目の一例を示す図である。
【図９】設定情報の一例を示す図である。
【図１０】再生制御情報の一例を説明する図である。
【図１１】第１の実施形態に係る表示システムの動作を説明するシーケンス図である。
【図１２】コンテンツデータの識別情報の一覧画面の一例を示す図である。
【図１３】コンテンツデータの選択が解除された場合の表示システムの動作を説明するシーケンス図である。
【図１４】情報端末に表示される設定画面の例を示す図である。
【図１５】コンテンツデータの再生要求を受けてから表示装置に表示されるまでの待ち時間の比較結果を示す図である。
【図１６】第２の実施形態に係る表示システムの動作を説明するシーケンス図である。
【図１７】各表示装置へ再生コンテンツデータを送信する処理のフローチャートである。
【図１８】分割処理部が保持する再生コンテンツデータと、再生コンテンツデータを送信する順番を説明するための図である。
【図１９】第４の実施形態に係る表示システムの動作を説明するシーケンス図である。
【発明を実施するための形態】
【０００８】
実施形態に係る表示システムは、複数の表示装置と、前記表示装置と通信可能な情報端末と、を含み、前記情報端末は、前記複数の表示装置を連結した画面に表示するコンテンツデータを、前記複数の表示装置に応じて分割した分割コンテンツデータの再生を制御する再生制御情報を生成する生成部と、前記再生制御情報及び前記分割コンテンツデータを前記表示装置に送信する送信部と、を有し、前記表示装置は、前記再生制御情報にしたがって前記分割コンテンツデータを再生する。
【０００９】
それにより、複数台の表示装置を連結した画面に、情報端末からの指示に従って、情報端末から提供されたコンテンツデータを表示することができる。
【００１０】
以下に図面を参照して実施形態について説明する。図１は、実施形態に係る表示システムのシステム構成の一例を示す図である。
【００１１】
表示システム１００は、情報端末２００と、複数の表示装置３００−１、３００−２、・・・３００−ｎ（以下、適宜「表示装置３００」と総称する）とを有し、情報端末２００と表示装置３００とはネットワーク等のデータ伝送路Ｎを介して接続される。
【００１２】
表示システム１００は、複数の表示装置３００−１、３００−２、・・・３００−ｎを連結して、一つの画面として表示を行う。
【００１３】
データ伝送路Ｎは、無線ＬＡＮ、ＮＦＣ（Near field communication）、ＺｉｇＢｅｅ、Ｂｌｕｅｔｏｏｔｈ（登録商標）等の近距離無線や、３Ｇ（3rd Generation）、ＬＴＥ（Long Term Evolution）、４Ｇ（4th Generation）の規格に準ずる無線通信、ＬＡＮケーブルやＵＳＢケーブル等を用いても良い。
【００１４】
情報端末２００は、例えばスマートフォン、携帯電話、タブレットＰＣ（Personal Computer）、ノート型ＰＣ等の端末であっても良い。
【００１５】
情報端末２００は、再生制御プログラム２１０がインストールされている。情報端末２００は、再生制御プログラム２１０を実行して、複数の表示装置３００を連結した画面に表示するコンテンツデータの一部であり、各表示装置にて表示させるデータである再生コンテンツデータ（複数の表示装置３００を連結した画面に表示するコンテンツデータを分割して生成したデータであるため、「分割コンテンツデータ」とも称する）と、後述する再生制御情報とを表示装置３００へ送信する。
【００１６】
コンテンツデータとは、例えば画像データや動画データ等である。コンテンツデータとなる画像データは、例えば１枚の画像の画像データであっても良いし、複数枚の画像の画像データであっても良い。
【００１７】
表示装置３００は、再生プログラム３１０がインストールされている。表示装置３００は、再生プログラム３１０を実行することで、受信した再生コンテンツデータを再生制御情報に基づき表示させる。
【００１８】
表示装置３００は、情報端末２００から送信された再生制御情報に基づき再生コンテンツデータを表示させることが可能な表示機能を有していれば良い。具体的には本実施例の表示装置３００は、例えばプロジェクタやディスプレイ等である。
【００１９】
以下に図２を参照して表示システム１００の利用シーンについて説明する。図２は、実施形態に係る表示システムの利用シーンの一例を説明する図である。
【００２０】
図２の例では、情報端末２００をスマートフォンとし、各表示装置３００−１、３００−２、・・・３００−ｎを各プロジェクタ３０１−１、３０１−２、・・・３０１−ｎ（以下、適宜「プロジェクタ３０１」と総称する）と各スクリーン３０２−１、３０２−２、・・・３０２−ｎを含む構成とし、表示システム１００を例えば電子看板（Digital Signage）に用いた場合を示している。
【００２１】
情報端末２００は、ユーザにより再生コンテンツデータの再生の仕方が設定されると、この設定に基づき再生コンテンツデータの再生制御情報を生成する。そして情報端末２００は、再生コンテンツデータと再生制御情報とを各プロジェクタ３０１へ送信する。各プロジェクタ３０１は、受信した再生コンテンツデータを記憶部に保存し、再生制御情報にしたがって再生コンテンツデータを再生する。
【００２２】
表示システム１００では、ユーザは、一旦、再生コンテンツデータと再生制御情報を各表示装置３００に送信すれば、所望の設定通りに再生コンテンツデータを継続して再生することができる。
【００２３】
すなわち表示システム１００を電子看板等に適用した場合、自動的にユーザが望むようにコンテンツデータが再生されるため、ユーザはコンテンツデータの表示順や表示の切り替え等をその都度設定する手間を省くことができる。
【００２４】
次に図３を参照して表示システム１００の有する各装置のハードウェア構成を説明する。図３は、表示システムが有する各装置のハードウェア構成の一例を示す図である。
【００２５】
情報端末２００は、それぞれバスＢ１で相互に接続されているＣＰＵ（Central Processing Unit）２１、記憶部２２、入力部２３、外部インターフェイス部２４、ネットワーク制御部２５、出力部２６、ドライブ装置２７を有する。
【００２６】
ＣＰＵ２１は、情報端末２００の各種動作を制御する。記憶部２２は、情報端末２００の動作や演算に係る各種情報や、情報端末２００で実行される各種プログラム等が格納される。入力部２３は、各種信号や情報を入力するために用いられる。入力部２３は、例えばタッチパネル等の表示機能を有していても良い。また、入力部２３は、例えばポインティングデバイスやキーボード等であっても良い。
【００２７】
外部インターフェイス部２４は、例えばＵＳＢ（Universal Serial Bus）メモリスロットやＮＦＣ（Near field communication）等である。ネットワーク制御部２５は、モデム、ＬＡＮカード等を含み、ネットワークに接続する為に用いられる。
【００２８】
出力部２６は、情報端末２００から各種情報報の出力するために用いられる。出力部２６は、例えばディスプレイ等であっても良いし、外部装置へ各種データを送信する送信部であっても良い。
【００２９】
再生制御プログラム２は、情報端末２００を制御する各種プログラムの少なくとも一部である。再生制御プログラム２１０は例えば記録媒体２８の配布やネットワークからのダウンロードなどによって提供される。再生制御プログラム２１０を記録した記録媒体２８は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００３０】
また再生制御プログラム２１０を記録した記録媒体２８がドライブ装置２７にセットされると、再生制御プログラム２１０は記録媒体２８からドライブ装置２７を介して記憶部２２にインストールされる。ネットワークからダウンロードされた再生制御プログラム２１０は、ネットワーク制御部２５を介して記憶部２２にインストールされる。
【００３１】
記憶部２２は、インストールされた再生制御プログラム２１０を格納すると共に、必要なファイル、データ等を格納する。ＣＰＵ２１は記憶部２２に格納された再生制御プログラム２１０に従って、後述するような各種処理を実現している。
【００３２】
表示装置３００は、それぞれバスＢ２で相互に接続されているＣＰＵ３１、記憶部３２、入力部３３、外部インターフェイス部３４、ネットワーク制御部３５、表示部３６、ドライブ装置３７を有する。
【００３３】
ＣＰＵ３１は、表示装置３００の各種動作を制御する。記憶部３２は、表示装置３００の動作や演算に係る各種情報や、表示装置３００で実行される各種プログラム、表示装置３００で再生される再生コンテンツデータ等が格納される。入力部３３は、各種信号や情報を入力するために用いられる。入力部３３は、例えば表示装置３００を操作する操作部材等である。
【００３４】
外部インターフェイス部３４は、例えばＵＳＢ（Universal Serial Bus）メモリスロットやＮＦＣ（Near field communication）等である。ネットワーク制御部３５は、表示装置３００のネットワークへの接続を制御する。表示部３６は、表示装置３００が表示指示を受けた再生コンテンツデータを表示させる。
【００３５】
再生プログラム３１０は、表示装置３００を制御する各種プログラムの少なくとも一部である。再生プログラム３１０は例えば記録媒体３８の配布やネットワークからのダウンロードなどによって提供される。また再生プログラム３１０を記録した記録媒体３８がドライブ装置３７にセットされると、再生プログラム３１０は記録媒体３８からドライブ装置３７を介して記憶部３２にインストールされる。ネットワークからダウンロードされた再生プログラム３１０は、ネットワーク制御部３５を介して記憶部３２にインストールされる。
【００３６】
記憶部３２は、インストールされた再生プログラム３１０を格納すると共に、必要なファイル、データ等を格納する。ＣＰＵ３１は記憶部３２に格納された再生プログラム３１０にしたがって、後述するような各種処理を実現している。
【００３７】
以下に、各実施形態について説明する。
【００３８】
＜第１の実施形態＞
第１の実施形態の情報端末２００は、各表示装置３００への送信対象となるコンテンツデータが選択されたタイミングで、このコンテンツデータを、各表示装置３００を連結した画面の解像度に合わせて変換する変換処理と、圧縮したデータを各表示装置３００にて表示するデータに分割する分割処理を開始する。すなわち第１の実施形態では、ユーザによるコンテンツデータの選択指示を受けてコンテンツデータの変換処理及び分割処理を開始することで、選択操作と並行して変換処理及び分割処理を実行する。よって第１の実施形態によれば、コンテンツデータの再生要求を受ける前に大部分の変換処理及び分割処理を終えることができ、再生要求を受けてから表示装置に表示されるまでの時間を短縮することができる。
【００３９】
なお、コンテンツデータの解像度を、各表示装置３００を連結した画面の解像度に合わせて変換する処理を、コンテンツデータの変換処理と呼ぶ。
【００４０】
次に、図４を参照して表示システム１００が有する各装置の機能構成について説明する。図４は、第１の実施形態の表示システムが有する各装置の機能構成の一例を示す図である。
【００４１】
情報端末２００は、記憶部２２内に設けられた所定の記憶領域２２０を有する。記憶領域２２０には、例えばコンテンツデータ２２１と、設定情報２２２とが格納されている。コンテンツデータ２２１は、例えば各表示装置３００を連結した画面へ表示することが可能なデータであり、例えば画像データや動画データ等である。設定情報２２２は、再生制御情報においてユーザにより設定される項目を含む情報である。
【００４２】
情報端末２００は、表示制御部２１１、入力受付部２１２、画面情報取得部２１３、変換処理部２１４、再生制御情報生成部２１５、送信部２１６、画面連結部２１７、分割処理部２１８を有する。
【００４３】
表示制御部２１１は、情報端末２００の出力部２６であるディスプレイ等に、コンテンツデータ２２１の識別情報の一覧画面や、設定情報２２２に含まれる項目の値を設定させる設定画面等を表示させる。
【００４４】
入力受付部２１２は、コンテンツデータ２２１の識別情報の一覧を表示させた一覧画面において、コンテンツデータ２２１の識別情報の選択を受け付ける。コンテンツデータ２２１の識別情報とは、コンテンツデータ２２１と対応した情報であり、具体的には例えばコンテンツデータ２２１のサムネイルやファイル名等である。情報端末２００の一覧画面において選択されて再生要求が行われたコンテンツデータ２２１が、各表示装置３００において表示されるデータに分割され、再生コンテンツデータ３３１として各表示装置３００へ送信される。
【００４５】
また、入力受付部２１２は、再生制御情報に含まれる各種の項目の値を設定させる設定画面において、項目の値の入力を受け付ける。
【００４６】
画面情報取得部２１３は、各表示装置３００の、解像度及び連結位置の情報を含む、画面情報を取得する。連結位置とは、各表示装置３００を連結した画面における、各表示装置３００の画面の位置を示す情報である。
【００４７】
画面情報取得部２１３は、情報端末２００が各表示装置３００と接続した際に、各表示装置３００へ画面情報の取得要求を行い、各表示装置３００から画面情報を取得しても良い。また、画面情報取得部２１３は、例えば予め記憶領域２２０に格納されている各表示装置３００の画面情報を取得しても良い。
【００４８】
画面連結部２１７は、画面情報取得部２１３により取得された画面情報に基づき、各表示装置３００を連結した画面の解像度を算出する。画面連結部２１７の処理の詳細は後述する。
【００４９】
変換処理部２１４は、一覧画面において選択されたコンテンツデータ２２１の解像度が、画面連結部２１７により算出された解像度と異なる場合に、変換処理を行う。変換処理部２１４の処理の詳細は後述する。
【００５０】
分割処理部２１８は、変換処理部２１４により解像度を変換されたコンテンツデータ２２１を、各表示装置３００の解像度に合わせて分割する。また、分割した画像を、ＪＰＥＧ(Joint Photographic Experts Group)等を用いて圧縮することにより、各表示装置３００の再生コンテンツデータ３３１を生成する。
【００５１】
再生制御情報生成部２１５は、設定情報２２２を参照して所定のフォーマットにしたがった再生制御情報３３２を生成する。
【００５２】
設定情報２２２に含まれる項目は再生制御情報３３２に含まれる項目の一部である。すなわち再生制御情報３３２には、設定情報２２２に含まれる項目に対してユーザが設定した値が含まれる。再生制御情報生成部２１５の処理の詳細は後述する。
【００５３】
送信部２１６は、再生コンテンツデータ３３１と、再生制御情報３３２とを各表示装置３００へ送信する。
【００５４】
なお、コンテンツデータ２２１は、記憶部２２内に格納されているものとしたが、これに限定されない。コンテンツデータ２２１は、例えば情報端末２００が読取可能な可搬型の記録媒体に格納されていても良いし、情報端末２００と通信が可能な外部装置に格納されていても良い。
【００５５】
表示装置３００は、保存制御部３１１、検証部３１２、通知部３１３、表示制御部３２０を有する。
【００５６】
表示装置３００は、情報端末２００から送信された再生コンテンツデータ３３１と、再生制御情報３３２とが格納される記憶領域３３０を有する。なお、記憶領域３３０は、例えば表示装置３００の有する記憶部３２に設けられても良いし、表示装置３００が読取可能な可搬型の記録媒体に設けられても良い。また記憶領域３３０は、表示装置３００と通信が可能な外部装置等に設けられても良い。
【００５７】
保存制御部３１１は、情報端末２００から受信した再生コンテンツデータ３３１と再生制御情報３３２とを記憶領域３３０に格納する。また、保存制御部３１１は、情報端末２００から再生コンテンツデータ３３１の再生指示を受けると、再生制御情報３３２に含まれる各項目の値を表示装置３００に設定する。
【００５８】
検証部３１２は、再生制御情報３３２に基づき、再生コンテンツデータ３３１が表示装置３００において再生可能か否かを検証する。検証部３１２の処理の詳細は後述する。
【００５９】
通知部３１３は、自装置の画面情報や、検証結果を情報端末２００に通知する。
【００６０】
表示制御部３２０は、表示部３６に対する表示を制御する。
【００６１】
次に図５を参照して、画面情報取得部２１３が取得する、各表示装置３００の画面情報について説明する。図５は、各表示装置３００の画面情報を説明する図である。各表示装置３００の画面情報には、表示装置３００の識別情報毎の、解像度と連結位置が含まれる。表示装置３００の識別情報は、例えば、表示装置３００のＩＰアドレス、ＭＡＣアドレス、装置名、装置番号等である。解像度は、例えば、表示装置３００の横方向の画素数及び縦方向の画素数である。連結位置は、例えば、各表示装置３００を連結する際の、横方向の位置と、縦方向の位置を示す情報である。図５の例では、一番左下に連結される各表示装置３００の横方向の位置と、縦方向の位置を、（０，０）と表している。
【００６２】
次に図６を参照して、画面連結部２１７による各表示装置３００を連結した画面の解像度を算出する処理について説明する。図６は、各表示装置３００を連結した画面を説明する図である。
【００６３】
画面連結部２１７は、画面情報取得部２１３が取得した、図５に示す各表示装置３００の画面情報に基づき、各表示装置３００を連結した画面８０の解像度を算出する。横方向に連結される表示装置３００の数をｋ、縦方向に連結される表示装置３００の数をｌとすると、連結した画面の横方向の画素数及び縦方向の画素数は、それぞれ、１０２４×ｋ、７６８×ｌである。
【００６４】
次に図７を参照して、変換処理部２１４による変換処理について説明する。図７は、コンテンツデータの変換処理を説明する図である。図７（Ａ）は、各表示装置３００を連結した画面８０に表示させるコンテンツデータ２２１である。図７（Ｂ）は、変換処理が施されたコンテンツデータ２２１′が表示された画面８０である。
【００６５】
変換処理部２１４は、画面８０の横方向の画素数と縦方向の画素数の比であるアスペクト比と、コンテンツデータ２２１のアスペクト比が同じであるか判断する。そして、同じであれば、画面８０の解像度と、コンテンツデータ２２１の解像度が等しくなるように、コンテンツデータ２２１の解像度を拡大乃至縮小する。
【００６６】
同じでなければ、コンテンツデータ２２１のアスペクト比を保ちながら、コンテンツデータ２２１′の解像度が画面８０の解像度以下となるように、コンテンツデータ２２１の解像度を拡大乃至縮小する。
【００６７】
例えば、図７に示す例のように、画面８０のアスペクト比が、コンテンツデータ２２１のアスペクト比よりも横長である場合、コンテンツデータ２２１の縦の画素数を、画面８０の縦の画素数をコンテンツデータ２２１の縦の画素数で除算した比率を乗算した値に変換する。また、コンテンツデータ２２１の横の画素数は、アスペクト比を保つために、縦の画素数と同様の比率を乗算した値に変換する。
【００６８】
図８は、設定情報に含まれる項目を説明するための図である。
【００６９】
情報端末２００は、表示制御部２１１により、これらの各項目を設定するための設定画面を表示させる。なお、設定画面の詳細は後述する。
【００７０】
設定情報２２２には、例えば設定項目として、「表示割り込みの許可」、「表示データの順序」、「表示データの切り替わり間隔」、「切り替え時のエフェクト」が含まれる。
【００７１】
「表示割り込みの許可」は、再生中に別の端末からの再生を許可するかどうかの設定である。「許可」または「不許可」を設定する。ユーザが設定を行わないときには初期値（デフォルト値）である「許可」が設定される。
【００７２】
「表示データの順序」は、再生コンテンツデータ３３１の再生順を示す項目である。例えば、再生コンテンツデータ３３１の基となるコンテンツデータ２２１が一覧画面で選択された順番を設定する。また、指定された順番で再生するか、ランダムな順番で再生するかを設定することもできる。
【００７３】
「表示データの切り替わり間隔」は、再生コンテンツデータ３３１の表示時間を示す項目である。ユーザが設定を行わないときには初期値（デフォルト値）である「５秒」が設定される。なお、再生コンテンツデータ３３１が動画の場合は、動画の再生時間を表示時間として自動で設定する構成としてもよい。
【００７４】
「切り替え時のエフェクト」は、再生コンテンツデータ３３１の表示の切り替え方を示す項目である。フェードイン、左右へのプッシュやワイプ等が設定できる。なお、フェードインとは、徐々に再生される画像が明確になるように表示を切り替える切り替え方である。プッシュとは、例えば表示されているコンテンツデータを左右のどちらかに押し出すようにして次のコンテンツデータを表示させる表示の切り替え方である。またワイプとは、表示中のコンテンツデータを拭き取るようにして次のコンテンツデータを表示させる表示の切り替え方である。ユーザが設定を行わないときには初期値（デフォルト値）である「フェードイン」が設定される。
【００７５】
なお、これらの各項目は、再生コンテンツデータ３３１毎に設定しても良いし、全ての再生コンテンツデータ３３１に対して一括して設定しても良い。
【００７６】
なお、表示を開始する時刻等の項目を設定できる構成としてもよい。その場合は、ＮＴＰ（Network Time Protocol）等の周知の方法を用いて、各表示装置３００の時刻を同期させる構成としても良い。
【００７７】
図９は、再生制御情報のフォーマットを説明するための図である。
【００７８】
再生制御情報３３２には、「フォーマットのバージョン」、「表示割り込みの許可」、「表示データの順序の指定」、「表示データの表示設定の配列」、「表示データの保存先」、「表示データの切り替わり間隔」、「切り替え時のエフェクト」の各項目に対するキーと値が含まれる。なお、キーとは、項目を示すための文字列である。
【００７９】
「フォーマットのバージョン」は、再生制御情報３３２を生成する際のフォーマットのバージョンを示す項目である。この項目のキーは「Ｖｅｒｓｉｏｎ」であり、この項目の値は、再生コンテンツデータ３３１を表示装置３００に表示させるために、表示装置３００側と対応した値とする。
【００８０】
「表示割り込みの許可」は、図８で説明したように、ユーザが設定画面で設定する項目である。この項目のキーは「Ｉｎｔｅｒｒｕｐｔ」であり、この項目の値は、「許可」であれば「０」、「不許可」であれば「１」を設定する。
【００８１】
「表示データの順序の指定」は、図８で説明した「表示データの順序」にて、ユーザが設定画面で設定する項目である。この項目のキーは「Ｏｒｄｅｒ」であり、この項目の値は、「指定」であれば「０」、「ランダム」であれば「１」を設定する。
【００８２】
「表示データの表示設定の配列」は、再生コンテンツデータの再生設定の配列を示す。図８で説明した「表示データの順序」にて、ユーザが設定画面で設定する項目である。
この項目のキーは「ｃｏｎｔｅｎｔｓ＿ｌｉｓｔ」である。例えば再生コンテンツデータ３３１の基となるコンテンツデータ２２１が選択された順等の配列となる。
【００８３】
「表示データの保存先」は、再生コンテンツデータ３３１の格納場所を示す。この項目のキーは「Ｐａｔｈ」であり、この項目の値には、選択されたコンテンツデータ２２１のファイル名が含まれても良い。
【００８４】
「表示データの切り替わり間隔」は、図８で説明したように、ユーザが設定画面で設定する項目である。この項目のキーは「Ｔｉｍｅ」であり、この項目の値は、秒数を設定する。
【００８５】
「切り替え時のエフェクト」は、図８で説明したように、ユーザが設定画面で設定する項目である。この項目のキーは「Ｅｆｆｅｃｔ」であり、この項目の値は、フェードイン、左へプッシュ、右へプッシュ、左へワイプ、右へワイプ、なし、ランダムに対して、それぞれ０から６までの値を設定する。
【００８６】
なお、「表示データの切り替わり間隔」の値は、ユーザが設定画面で設定した値または初期値と、各表示装置３００を連結した画面における各表示装置３００の位置とに基づいて、再生制御情報生成部２１５が決定する構成としてもよい。例えば、左側から、表示装置３００−１、表示装置３００−２、表示装置３００−３が連結されており、ユーザが情報端末２００の設定画面で、表示時間を５秒と設定し、「切り替え時のエフェクト」を左へワイプと設定したとする。その場合、表示装置３００−３において左へワイプする表示にかかる時間を例えば０．１秒とすると、表示装置３００−３の「表示データの切り替わり間隔」の値を、設定された５秒から０．１秒を減算し、４．９秒とする。同様に、表示装置３００−２に対しては５秒、表示装置３００−１に対しては５．１秒とする。なお、各表示装置３００において左へワイプする表示にかかる時間の情報は、画面情報に含めて取得する構成としてもよい。
【００８７】
それにより、各表示装置３００を連結した画面（一つの大画面）においてワイプ等の表示を行うための各表示装置３００に対する設定を、自動で行うことができる。
【００８８】
図１０は、再生制御情報の一例を説明する図である。再生制御情報生成部２１５は、設定情報２２２を参照して図９に示すフォーマットにしたがって、図１０に示す再生制御情報３３２を生成する。
【００８９】
図１０の例では、所定のフォーマットは、ジェイソン形式とした。ジェイソン形式とは、JavaScript（登録商標）におけるオブジェクトの表記法をベースとした軽量なデータ記述言語である。
【００９０】
図１０の例では、「Ｖｅｒｓｉｏｎ」の値は「１．０．０」であり、「Ｏｒｄｅｒ」の値は０であり、「Ｉｎｔｅｒｒｕｐｔ」の値は０であり、「ｃｏｎｔｅｎｔｓ＿ｌｉｓｔ」の値として、５つの再生コンテンツデータ３３１が再生順に並べられている。具体的には再生コンテンツデータ３３１の「Ｐａｔｈ」の値、「Ｔｉｍｅ」の値、「Ｅｆｆｅｃｔ」の値である。
【００９１】
以上のようにユーザが設定した値を含む再生制御情報３３２を生成し、各表示装置３００へ送信する。よって、ユーザの所望の再生の仕方を各表示装置３００に設定させることができる。
【００９２】
次に図１１を参照して第１の実施形態に係る表示システム１００の動作を説明する。図１１は、第１の実施形態に係る表示システムの動作を説明するシーケンス図である。
【００９３】
まず、表示システム１００において、ユーザにより情報端末２００の再生制御プログラム２１０が起動される（ステップＳ１０１）。画面情報取得部２１３は、各表示装置３００（３００−１、３００−２、・・・３００−ｎ）に対し、各表示装置３００の画面情報の取得要求を行う（ステップＳ１０２）。各表示装置３００は、この要求を受けて、自身の画面情報を情報端末２００へ送信する（ステップＳ１０３）。画面情報は、各表示装置３００のＳＳＩＤ（Service Set Identifier）等に含めて送信する構成としても良い。その場合、情報端末２００は、各表示装置３００のＳＳＩＤから画面情報を取得すれば良い。
【００９４】
続いて情報端末２００は、ユーザからのコンテンツデータ２２１の一覧表示要求を受けて、表示制御部２１１により、コンテンツデータ２２１の識別情報の一覧画面をコンテンツデータ２２１の一覧として表示させる（ステップＳ１０４）。
【００９５】
続いて情報端末２００は、入力受付部２１２により、一覧画面におけるコンテンツデータ２２１の識別情報の選択を受け付ける（ステップＳ１０５）。識別情報の選択により、識別情報と対応するコンテンツデータ２２１が選択されると、情報端末２００は、選択を受け付けたことをユーザに通知する（ステップＳ１０６）。
【００９６】
変換処理部２１４は、選択されたコンテンツデータ２２１を読み込む（ステップＳ１０７）。続いて変換処理部２１４は、コンテンツデータ２２１が圧縮されたデータであった場合にはコンテンツデータ２２１の伸張処理を行う（ステップＳ１０８）。なお、ステップＳ１０８の処理は、選択されたコンテンツデータ２２１が圧縮されたデータでない場合は行わない。
【００９７】
続いて変換処理部２１４は、コンテンツデータ２２１の解像度の変換処理を行う（ステップＳ１０９）。コンテンツデータ２２１の変換処理は、前述した通りである。
【００９８】
続いて分割処理部２１８は、変換処理部２１４により、各表示装置３００を連結した画面の解像度に応じて変換されたコンテンツデータ２２１を、各表示装置３００の解像度に合わせて分割する（ステップＳ１１０）。
【００９９】
続いて分割処理部２１８は、分割したデータを圧縮し、各表示装置３００の識別情報に対応付けて、順番に保持する（ステップＳ１１１）。
【０１００】
ユーザによるコンテンツデータ２２１の選択操作が終了するまで、ステップＳ１０５からステップＳ１１１の処理を繰り返す。
【０１０１】
すなわち、表示装置３００への送信対象となるコンテンツデータ２２１の選択操作中に、バックグラウンド処理として選択済みのコンテンツデータ２２１の変換処理及び分割処理を行う。このため、ユーザが送信対象となるコンテンツデータ２２１の選択操作を完了したとき、送信対象となるコンテンツデータ２２１の大部分が変換処理及び分割処理済みとなる。よって実施形態では、送信対象のコンテンツデータ２２１の変換処理及び分割処理のための待ち時間を短縮することができる。
【０１０２】
続いて情報端末２００は、表示制御部２１１により、設定情報２２２を参照し、設定情報２２２に含まれる項目の設定画面を表示させ、設定画面において入力された各項目の値を入力受付部２１２により受け付ける（ステップＳ１１２）。入力された各項目の値は、設定情報２２２において、該当する項目と対応付けられて保持される。
【０１０３】
続いて情報端末２００は、ユーザにより、再生コンテンツデータ３３１の再生要求を受け付けると（ステップＳ１１３）、再生制御情報生成部２１５により、再生制御情報３３２を生成する（ステップＳ１１４）。具体的には、再生制御情報生成部２１５は、再生要求を受けると、保持していた項目の値を所定のフォーマットに代入して再生制御情報３３２を生成する。
【０１０４】
続いて情報端末２００は、送信部２１６により、再生制御情報３３２を各表示装置３００へ送信する（ステップＳ１１５）。
【０１０５】
表示装置３００は、情報端末２００から再生制御情報３３２を受信すると、保存制御部３１１により再生制御情報３３２を記憶領域３３０に格納する（ステップＳ１１６）。
【０１０６】
続いて情報端末２００は、ステップＳ１１１にて表示装置３００毎に保存していたデータを順番に読み出す（ステップＳ１１７）。
【０１０７】
続いて送信部２１６は、読み出したデータを再生コンテンツデータ３３１として各表示装置３００へ送信する（ステップＳ１１８）。各表示装置３００は、保存制御部３１１により、再生コンテンツデータ３３１を記憶領域３３０に格納する（ステップＳ１１９）。例えば記憶領域３３０内に情報端末２００と対応したフォルダ等が設けられており、再生コンテンツデータ３３１と再生制御情報３３２とはこのフォルダに格納されても良い。
【０１０８】
続いて各表示装置３００は、通知部３１３により、記憶領域３３０への再生コンテンツデータ３３１の格納（アップロード）が完了したことを情報端末２００へ通知する（ステップＳ１２０）。
【０１０９】
情報端末２００は、各表示装置３００への再生コンテンツデータ３３１の送信が全て完了すると、各表示装置３００に対して再生コンテンツデータ３３１の再生指示を送信する（ステップＳ１２１）。各表示装置３００は、情報端末２００から再生指示を受信すると、再生制御情報３３２にしたがった再生コンテンツデータ３３１の再生が実行されるように、再生制御情報３３２に含まれる各項目の値を自身へ設定する。
【０１１０】
各表示装置３００は、再生指示を受けると、検証部３１２により再生制御情報３３２にしたがった再生コンテンツデータ３３１の再生が行えるか否かの検証を行う（ステップＳ１２２）。
【０１１１】
通知部３１３は、検証部３１２による検証結果を情報端末２００へ通知する（ステップＳ１２３）。具体的には、例えば再生コンテンツデータ３３１が再生可能であることが検証された場合、通信が成功したことを情報端末２００へ通知しても良い。通知部３１３からの通知を受けると、情報端末２００は、通知結果を表示させる（ステップＳ１２４）。
【０１１２】
また、通知部３１３は、再生コンテンツデータ３３１の再生が不可能である場合、通信に失敗したことを情報端末２００へ通知する。再生が不可能である場合とは、例えば再生制御情報３３２が読み取れないフォーマットであった場合、再生制御情報３３２にコンテンツデータ２２１の格納場所を示す情報が含まれていない場合等である。
【０１１３】
なお、例えば通信に失敗した場合に、再生コンテンツデータ３３１の再送を促すメッセージを情報端末２００に表示させても良い。
【０１１４】
続いて各表示装置３００は、再生コンテンツデータ３３１を再生制御情報３３２にしたがって再生する（ステップＳ１２５）。
【０１１５】
なお、図１１の例では、再生制御プログラム２１０が起動した際に、表示装置３００へ解像度の取得要求を行うものとしたが、これに限定されない。画面情報取得部２１３は、例えばコンテンツデータ２２１の識別情報の一覧画面が表示されたとき、各表示装置３００に対する解像度の取得要求を行っても良い。また各表示装置３００の解像度は、例えば情報端末２００に予め格納されており、画面情報取得部２１３は、再生制御プログラム２１０が起動した際に、格納された解像度を読み出しても良い。画面情報取得部２１３は、コンテンツデータ２２１の選択操作が行われる前に各表示装置３００の解像度を取得すれば良い。
【０１１６】
なお、情報端末２００から各表示装置３００への再生制御情報３３２と再生コンテンツデータ３３１の送信は、どちらを先に送信する構成としてもよい。
【０１１７】
以下に図１２を参照して変換処理を開始するタイミングについて説明する。図１２は、コンテンツデータの識別情報の一覧画面の一例を示す図である。
【０１１８】
一覧画面６１は、記憶領域２２０に格納されたコンテンツデータ２２１の識別情報の一覧が表示される表示領域６２と、表示領域６２において選択された送信対象となるコンテンツデータ２２１の識別情報が表示される表示領域６３とを有している。
【０１１９】
なお、表示領域６２には、例えばコンテンツデータ２２１のサムネイルの一覧が表示されても良いし、コンテンツデータ２２１のファイル名等が表示されても良い。表示領域６２には、コンテンツデータ２２１を識別できる識別情報が表示されていれば良い。表示領域６３における表示も同様であり、送信対象として選択されたコンテンツデータ２２１の識別情報が表示されれば良い。
【０１２０】
また、コンテンツデータ２２１の選択操作とは、表示領域６２に表示されたコンテンツデータ２２１の識別情報の一覧から所望のコンテンツデータ２２１と対応する識別情報を選択する操作を示す。実施形態では、表示領域６２において選択されるのは、コンテンツデータ２２１と対応する識別情報が選択される。
【０１２１】
図１２に示す例では、一覧画面６１の表示領域６２に表示されたコンテンツデータ２２１のサムネイルの一覧から、コンテンツデータ２２１ａ，２２１ｂのサムネイルが選択されている。選択されたコンテンツデータ２２１ａ，２２１ｂのサムネイルは、再生コンテンツデータ３３１として、表示領域６３に表示される。また表示領域６２のコンテンツデータ２２１ａ，２２１ｂのサムネイルには、選択されたことを示すチェック等が重ねて表示されても良い。
【０１２２】
図１２の例では、変換処理部２１４は、表示領域６２においてコンテンツデータ２２１ａのサムネイルに対して選択操作が為されると、選択操作を変換処理の開始要求と捉える。そして変換処理部２１４は、コンテンツデータ２２１ａの解像度と各表示装置３００を連結した画面の解像度とに基づき変換処理を行うか否か判断する。変換処理部２１４は、コンテンツデータ２２１ａに変換処理が必要であると判断されると、変換処理を実行する。
【０１２３】
この間、ユーザは続けて次のコンテンツデータ２２１ｂの選択操作を行うことができる。すなわち実施形態では、選択されたコンテンツデータ２２１ａの変換処理と、ユーザによる次の送信対象となるコンテンツデータ２２１ｂの選択操作と、を並行して行うことができる。
【０１２４】
次に、情報端末２００において一覧画面６１で一度選択されたコンテンツデータ２２１の選択が解除されたときの動作について説明する。図１３は、コンテンツデータの選択が解除された場合の表示システムの動作を説明するシーケンス図である。
【０１２５】
情報端末２００は、例えば一覧画面６１で選択されたことを示すチェックが表示されたコンテンツデータ２２１が再度選択されると、コンテンツデータ２２１の選択を解除する（ステップＳ８１）。具体的には情報端末２００は、表示制御部２１１により、表示領域６３から選択が解除されたコンテンツデータ２２１のサムネイルと、表示領域６２の選択が解除されたコンテンツデータ２２１のチェックの表示を消去する。
【０１２６】
続いて変換処理部２１４は、分割処理が施されたコンテンツデータ２２１を削除する（ステップＳ８２）。
【０１２７】
図１４は、情報端末２００に表示される設定画面の例を示す図である。図１４に示す設定画面１０１は、設定情報２２２に含まれる「表示データの切り替わり間隔」の値を設定させる表示領域１０２と、「切り替え時のエフェクト」の値を設定させる表示領域１０３とを有する。
【０１２８】
図１４の例では、「表示データの切り替わり間隔」の値を設定させるユーザインターフェイスとして、スライダー１０２ａを用いた。また、「切り替え時のエフェクト」の値を設定させるユーザインターフェイスとして、各値と対応するコンテンツデータ２２１の切り替え方を示すアニメーションのアイコンを用いた。
【０１２９】
各項目の値を設定させるユーザインターフェイスを上記のように視覚的に認識しやすくすることで、ユーザに容易に各項目の値を設定させることができる。
【０１３０】
次に図１５を参照して第１の実施形態の効果について説明する。図１５は、コンテンツデータの再生要求を受けてから表示装置に表示されるまでの待ち時間の比較結果を示す図である。
【０１３１】
図１５（ａ）は、情報端末２００において変換処理を行わずにコンテンツデータを表示装置３００へ送信した場合の待ち時間を示す。この場合、コンテンツデータの変換処理が行われないため、コンテンツデータの送信処理時間が、そのまま待ち時間となる。
【０１３２】
図１５（ｂ）は、実施形態を適用せずにコンテンツデータの変換処理を行った場合の待ち時間を示す。この場合、待ち時間はコンテンツデータの変換処理に係る時間と、変換されたコンテンツデータの送信処理に係る時間との合計が待ち時間となる。
【０１３３】
図１５（ｂ）の場合、コンテンツデータが変換されているため、送信処理に係る時間が図１５（ａ）と比較して短縮されている。しかしながらコンテンツデータの変換処理に係る時間も待ち時間に含まれるため、待ち時間は十分に短縮されていない。
【０１３４】
図１５（ｃ）は、実施形態を適用した場合の待ち時間を示す。実施形態では、コンテンツデータの変換処理は、コンテンツデータの再生要求を受ける前に行われる送信対象のコンテンツデータの選択操作と並行して行われる。よって実施形態では、送信対象のコンテンツデータの選択操作の完了後に再生要求を受けた際には、コンテンツデータの変換処理の大部分又は全てが完了しており、待ち時間に含まれる変換処理に係る時間はなくなるか又はごく短時間となる。
【０１３５】
なお、表示システム１００では、情報端末２００が各表示装置３００を連結した画面の解像度を取得してコンテンツデータ２２１の変換処理を行うものとして説明したが、これに限定されない。
【０１３６】
情報端末２００は、各表示装置３００を識別する識別情報と、各表示装置３００の解像度とが対応付けられたテーブルを有している。そして情報端末２００は、表示システム１００に含まれる各表示装置及びその連結位置をユーザに選択させる選択画面を表示させ、ユーザにより送信先として選択された各表示装置の解像度を取得してコンテンツデータ２２１の変換処理を行っても良い。
【０１３７】
以上のように、例えば表示システム１００に複数台の表示装置が含まれる場合に、情報端末２００側で各表示装置３００の解像度を保持しておけば、表示装置側での処理を軽減することができる。
【０１３８】
以上のように実施形態では、コンテンツデータの再生要求を受けてから表示装置に表示されるまでの待ち時間を短縮することができる。
【０１３９】
＜第２の実施形態＞
第１の実施形態では、ユーザによるコンテンツデータの選択指示を受けてコンテンツデータの変換、分割処理を開始することで、選択操作と並行して変換、分割処理を実行していた。
【０１４０】
第２の実施形態では、ユーザによるコンテンツデータの選択指示を受けた際に、コンテンツデータの変換処理、分割処理に加え、各表示装置３００への送信処理を開始することで、選択操作と並行して変換処理、分割処理、送信処理を実行する。それにより、コンテンツデータの再生要求を受ける前に大部分の変換、分割、送信処理を終えることができ、再生要求を受けてから表示装置に表示されるまでの時間をさらに短縮することができる。
【０１４１】
次に図１６を参照して第２の実施形態に係る表示システム１００の動作を説明する。図１６は、第２の実施形態に係る表示システムの動作を説明するシーケンス図である。
【０１４２】
起動した後、各表示装置３００の画面情報を取得し、コンテンツデータ２２１を変換、分割、圧縮、保持するまでの処理であるステップＳ２０１〜Ｓ２１１は、図１１のステップＳ１０１〜Ｓ１１１と同様であるため、その詳細な説明は省略する。
【０１４３】
続いて情報端末２００は、ステップＳ２１１にて表示装置３００毎に保存していたデータを順番に読み出す（ステップＳ２１２）。
【０１４４】
続いて送信部２１６は、読み出したデータを再生コンテンツデータ３３１として各表示装置３００へ送信する（ステップＳ２１３）。
【０１４５】
各表示装置３００は、保存制御部３１１により、再生コンテンツデータ３３１を記憶領域３３０に格納する（ステップＳ２１４）。
【０１４６】
続いて各表示装置３００は、通知部３１３により、記憶領域３３０への再生コンテンツデータ３３１の格納（アップロード）が完了したことを情報端末２００へ通知する（ステップＳ２１５）。
【０１４７】
ユーザによるコンテンツデータ２２１の選択操作が終了するまで、ステップＳ２０５からステップＳ２１５の処理を繰り返す。
【０１４８】
ユーザによるコンテンツデータ２２１の選択操作が終了すると、設定画面を表示させて入力を受け付け、再生要求を受け付けると、再生制御情報３３２を生成して各表示装置３００へ格納させるステップＳ２１６〜Ｓ２２０の処理を行う。ステップＳ２１６〜Ｓ２２０は、図１１のステップＳ１１２〜Ｓ１１６と同様であるため、その詳細な説明は省略する。
【０１４９】
続いて、情報端末２００が、各表示装置３００に対して再生コンテンツデータ３３１の再生指示を送信し、各表示装置３００に、再生コンテンツデータ３３１を再生制御情報３３２にしたがって再生するステップＳ２２１〜Ｓ２２５の処理を行う。ステップＳ２２１〜Ｓ２２５は、図１１のステップＳ１２１〜Ｓ１２５と同様であるため、その詳細な説明は省略する。
【０１５０】
＜第３の実施形態＞
第３の実施形態では、一の表示装置に、第１のコンテンツデータの一部である第１の再生コンテンツデータを送信している間に、第２のコンテンツデータの一部である第２の再生コンテンツデータが生成されたとする。その場合に、第２の再生コンテンツデータを、第１の再生コンテンツデータと連続して当該一の表示装置に送信する。それにより、情報端末が、複数の表示装置との間の無線通信を同時に接続できない場合に、無線通信を接続する処理を行う回数を低減できるため、再生要求を受けてから表示装置に表示されるまでの時間をさらに短縮することができる。
【０１５１】
図１７を参照して、各表示装置３００へ再生コンテンツデータ３３１を送信する処理を説明する。図１７は、各表示装置３００へ再生コンテンツデータ３３１を送信する処理のフローチャートである。
【０１５２】
送信部２１６は、分割処理部２１８から、再生コンテンツデータ３３１の送信を要求されると、分割処理部２１８が保持しているテーブルから、先頭の表示装置を抽出する（ステップＳ３０１）。
【０１５３】
続いて、当該表示装置に対応付けられて保持されているデータがあるか判断する（ステップＳ３０２）。
【０１５４】
データがなければ（ステップＳ３０２でＮＯ）、次の表示装置を抽出する（ステップＳ３０３）。そして、ステップＳ３０２に戻り、当該表示装置に対応付けられて保持されているデータがあるか判断する。
【０１５５】
データがあれば（ステップＳ３０２でＹＥＳ）、当該表示装置に対応付けられて保持されている先頭のデータを取り出し、送信する（ステップＳ３０４）。それにより、当該データはテーブルから削除される。
【０１５６】
そして、分割処理部２１８から、他の再生コンテンツデータ３３１の送信を要求されているか判断する（ステップＳ３０５）。要求されていれば（ステップＳ３０５でＹＥＳ）、ステップＳ３０２に戻り、当該表示装置に対応付けられて保持されているデータがあるか判断する。要求されていなければ（ステップＳ３０５でＮＯ）、処理を終了する。
【０１５７】
図１８を参照して、各表示装置へ再生コンテンツデータを送信する際に、分割処理部が保持する再生コンテンツデータと、再生コンテンツデータを送信する順番について説明する。図１８は、分割処理部が保持する再生コンテンツデータと、再生コンテンツデータを送信する順番を説明するための図である。
【０１５８】
分割処理部２１８は、分割したデータを圧縮した後、図１８のように、各表示装置３００の識別情報に対応付けて、再生コンテンツデータとして保持する。
【０１５９】
図１８（Ａ）は、送信を開始する前に、分割処理部２１８保持されているデータの一例である。
【０１６０】
図１８（Ｂ）は、表示装置３００−１に、再生コンテンツデータ３３１−１−１を送信した後に、分割処理部２１８保持されているデータの一例である。
【０１６１】
図１８（Ｃ）は、表示装置３００−１に、再生コンテンツデータ３３１−１−２、３３１−１−３を送信した後に、分割処理部２１８保持されているデータの一例である。
【０１６２】
図１８（Ａ）から図１８（Ｂ）のように、再生コンテンツデータ３３１−１−１を送信している際に、再生コンテンツデータ３３１−１−２、３３１−１−３が新たに生成された場合、情報端末２００の送信部２１６は、再生コンテンツデータ３３１−１−１の送信に続けて、再生コンテンツデータ３３１−１−２、３３１−１−３を連続して送信する。
【０１６３】
そして、図１８（Ｃ）のように、表示装置３００−１に対応付けられた再生コンテンツデータ３３１がなくなった場合、表示装置３００−１との無線通信を切断する。そして、表示装置３００−２との無線通信を接続し、再生コンテンツデータ３３１−２−１、３３１−２−２、３３１−２−３を送信する。
【０１６４】
情報端末２００の送信部２１６が、複数の表示装置３００−１、３００−２との間の無線通信を同時に接続できない場合、分割処理と送信処理を順番に行うと、以下のような処理を行う必要がある。すなわち、表示装置３００−１との無線通信を接続して送信した後、当該無線通信を切断し、次の分割処理を行った後、次の表示装置３００−２との無線通信を接続して送信する必要がある。
【０１６５】
第３の実施形態では、そのような処理を行う構成と比較して、無線通信を接続する処理を行う回数を低減できるため、再生要求を受けてから表示装置に表示されるまでの時間をさらに短縮することができる。
【０１６６】
＜第４の実施形態＞
第１の実施形態乃至第３の実施形態では、情報端末２００が、各表示装置３００に、再生コンテンツデータ３３１及び再生制御情報３３２を送信していた。
【０１６７】
第４の実施形態では、情報端末２００が、一の表示装置３００−１に、各表示装置３００の再生コンテンツデータ３３１及び再生制御情報３３２を送信する。そして、当該一の表示装置３００−１が、他の表示装置３００−２、・・・３００−ｎに、他の表示装置３００−２、・・・３００−ｎに対応する再生コンテンツデータ３３１及び再生制御情報３３２を転送する。第４の実施形態では、一の表示装置３００−１が、他の表示装置３００−２、・・・３００−ｎを制御するため、再生コンテンツデータ３３１の切り替わりのタイミングを同期し易くなる。
【０１６８】
次に図１９を参照して第４の実施形態に係る表示システム１００の動作を説明する。図１９は、第４の実施形態に係る表示システムの動作を説明するシーケンス図である。
【０１６９】
起動した後、各表示装置３００の画面情報を取得し、コンテンツデータ２２１を変換、分割、圧縮、保持する。そしてユーザにより、再生コンテンツデータ３３１の再生要求を受け付け、再生制御情報３３２を生成するまでの処理は、図１１のステップＳ１０１〜Ｓ１１４と同様であるため、図示とその詳細な説明は省略する。
【０１７０】
なお、情報端末２００から表示装置３００−１に、ユーザが選択したコンテンツデータ２２１を送信し、表示装置３００−１にて、各表示装置３００の画面情報の取得、コンテンツデータ２２１の変換、分割等の処理を行う構成としてもよい。
【０１７１】
情報端末２００は、送信部２１６により、各表示装置３００の識別情報に対応付けて、各表示装置３００の再生制御情報３３２を表示装置３００−１へ送信する（ステップＳ４０１）。
【０１７２】
表示装置３００−１は、情報端末２００から再生制御情報３３２を受信すると、保存制御部３１１により、各表示装置３００の識別情報に対応付けて再生制御情報３３２を記憶領域３３０に格納する（ステップＳ４０２）。
【０１７３】
続いて情報端末２００は、表示装置３００毎に保存していたデータを順番に読み出す（ステップＳ４０３）。
【０１７４】
続いて送信部２１６は、各表示装置３００の識別情報に対応付けて、各表示装置３００の再生コンテンツデータ３３１として表示装置３００−１へ送信する（ステップＳ４０４）。
【０１７５】
表示装置３００−１は、保存制御部３１１により、各表示装置３００の識別情報に対応付けて再生コンテンツデータ３３１を記憶領域３３０に格納する（ステップＳ４０５）。
【０１７６】
表示装置３００−１の通知部３１３は、他の表示装置３００−２、・・・３００−ｎに、他の表示装置３００−２、・・・３００−ｎに対応付けられた再生コンテンツデータ３３１及び再生制御情報３３２を転送する（ステップＳ４０６）。なお、このとき、表示装置３００−１が、ＮＴＰ（Network Time Protocol）等の方法を用いて、他の表示装置３００−２、・・・３００−ｎを自身と同期させる構成としても良い。
【０１７７】
他の表示装置３００−２、・・・３００−ｎは、保存制御部３１１により、再生コンテンツデータ３３１及び再生制御情報３３２を記憶領域３３０に格納する（ステップＳ４０７）。
【０１７８】
その後の、情報端末２００が再生指示を送信し、各表示装置３００にて再生が行われる処理は、図１１のステップＳ１２１〜Ｓ１２４と同様であるため、図示とその詳細な説明は省略する。
【０１７９】
なお、第１の実施形態と同様の、ユーザが再生要求を行った際に、コンテンツデータ２２１の送信処理を行う代わりに、第２の実施形態と同様の、ユーザがコンテンツデータの選択を行った際に、送信処理を行う構成としてもよい。
【０１８０】
なお、上述した実施形態におけるシステム構成は一例であり、用途や目的に応じて様々なシステム構成例があることは言うまでもない。
【符号の説明】
【０１８１】
１００  表示システム
２００  情報端末
２１０  再生制御プログラム
２２０  記憶領域
２１１  表示制御部
２１２  入力受付部
２１３  画面情報取得部
２１４  変換処理部（「処理部」の一例）
２１５  再生制御情報生成部（「生成部」の一例）
２１６  送信部
２１７  画面連結部
２１８  分割処理部（「処理部」の一例）
２２１  コンテンツデータ
２２２  設定情報
３００  表示装置
３１０  再生プログラム
３１１  保存制御部
３１２  検証部
３１３  通知部
３２０  表示制御部
３３０  記憶領域
３３１  再生コンテンツデータ（「分割コンテンツデータ」の一例）
３３２  再生制御情報
【先行技術文献】
【特許文献】
【０１８２】
【特許文献１】特許第４１２３２１２号公報
【図１】
2016225823.tif 000003
【図２】
2016225823.tif 000004
【図３】
2016225823.tif 000005
【図４】
2016225823.tif 000006
【図５】
2016225823.tif 000007
【図６】
2016225823.tif 000008
【図７】
2016225823.tif 000009
【図８】
2016225823.tif 000010
【図９】
2016225823.tif 000011
【図１０】
2016225823.tif 000012
【図１１】
2016225823.tif 000013
【図１２】
2016225823.tif 000014
【図１３】
2016225823.tif 000015
【図１４】
2016225823.tif 000016
【図１５】
2016225823.tif 000017
【図１６】
2016225823.tif 000018
【図１７】
2016225823.tif 000019
【図１８】
2016225823.tif 000020
【図１９】
2016225823.tif 000021